(57)【要約】      （修正有）【課題】視認する絵柄を選択して用いることができる包装用材を提供する。【解決手段】本包装用材１０は、箱２０とシート３０とを包装する包装用材であって、箱２０とシート３０とを重畳して覆う筐体１２を備え、筐体１２は、筒状部１２２と、前記箱を差し込む少なくとも１つの装入開口部１２４とを有し、筒状部１２２は、少なくとも１つの視認開口部１２６を有し、少なくとも１つの視認開口部１２６は、シート３０が露出する位置に設けられている。更にシート３０を備え得る。シート３０は、箱２０の少なくとも１つの側面を覆うように設けられる。【選択図】図１
0003174621.tif 000002
【実用新案登録請求の範囲】
【請求項１】
箱とシートとを包装する包装用材であって、
前記箱と前記シートとを重畳して覆う筐体を備え、
前記筐体は、筒状部と、前記箱を差し込む少なくとも1つの装入開口部とを有し、
前記筒状部は、少なくとも１つの視認開口部を有し、
前記少なくとも１つの視認開口部は、前記シートが露出する位置に設けられている、包装用材。
【請求項２】
前記シートを更に備え、
前記シートは、前記箱の少なくとも１つの側面を覆うように設けられている、請求項１に記載の包装用材。
【請求項３】
前記シートを更に備え、
前記シートは、前記箱を包み込むように設けられている、請求項１に記載の包装用材。
【請求項４】
前記筒状部に前記シートを差し込む差し込み開口部が設けられている、請求項１から３の何れか一項に記載の包装用材。
【請求項５】
前記差し込み開口部は、前記箱の差し込み方向と平行になるように形成される、請求項４に記載の包装用材。
【考案の詳細な説明】
【技術分野】
【０００１】
本考案は、特に商品の包装に用いる包装用材に関する。
【背景技術】
【０００２】
商品は、通常、箱などの包装用材に収容される。包装用材によって商品を保護できる上に、包装用材の意匠を通じて顧客の興味を喚起することもできる。特許文献１には、箱の一開口端部を閉鎖する絵柄印刷片と上蓋片とを有する包装用箱が開示されている。特許文献１で開示の包装用箱によれば、上蓋片に設けられている抜き部から絵柄印刷片に印刷された絵柄を視認することができる。
【先行技術文献】
【特許文献】
【０００３】
【特許文献１】特開２０１０−２３５１６２号公報
【考案の概要】
【考案が解決しようとする課題】
【０００４】
しかしながら、特許文献１で開示の包装用箱によれば、絵柄印刷片は交換不可能である。従って絵柄印刷片に印刷された絵柄しか視認できなく、絵柄の変化のバリエーションに欠けていた。その結果、商品の種類や宣伝の手法に合わせてその度包装用箱を新たに製作しなければならないという欠点があった。
【０００５】
本考案は、商品の種類や宣伝の手法などに合わせて視認する絵柄を選択して用いることができる包装用材を提供することを目的とする。
【課題を解決するための手段】
【０００６】
上記の目的を達成するために、本考案に係る包装用材は、箱とシートとを包装する包装用材であって、前記箱と前記シートとを重畳して覆う筐体を備え、前記筐体は、筒状部と、前記箱を差し込む少なくとも1つの装入開口部とを有し、前記筒状部は、少なくとも１つの視認開口部を有し、前記少なくとも１つの視認開口部は、前記シートが露出する位置に設けられることを特徴とする。背景技術で説明したように、従来技術では、絵柄印刷片は箱と一体に構成されているため、蓋に抜き部が設けられているものの、絵柄印刷片に印刷した絵柄しか視認できないという欠点があった。これに対し、本考案では、装入開口部からシートを差し替えることで、筐体における視認開口部から異なる絵柄を視認することができる。その結果、商品の種類や宣伝の手法などに合わせてシートを自由に選択して使用することができる。
【０００７】
本考案の好適な実施形態によれば、包装用材は、シートを更に備え、シートは、箱の少なくとも１つの側面を覆うように又は箱を包み込むように設けられる。
【０００８】
本考案の好適な実施形態によれば、包装用材の筒状部には、シートを差し込む差し込み開口部が設けられる。このことから、装入開口部のみならず、差し込み開口部からもシートを差し込むことができる。また、差し込み開口部は、箱の押し込み方向と平行になるように形成されることが好ましい。
【図面の簡単な説明】
【０００９】
【図１】本考案の実施形態１に係る包装用材を示す模式図である。
【図２】本考案の実施形態２に係る包装用材を示す模式図である。
【図３】本考案の実施形態３に係る包装用材を示す模式図である。
【図４】筐体を示す正面図である。
【考案を実施するための形態】
【００１０】
以下、添付図面を参照して本考案の好適な実施の形態を詳細に説明する。尚、下記本考案の実施形態は、本考案の好適な実施の形態を示したものにすぎず、本考案の技術的範囲は、下記実施形態そのものに何ら限定されるものではない。
【００１１】
[実施形態１]
図１は、本考案の実施形態１に係る包装用材１０を示す模式図である。図１ａは、包装前の状態を示す模式図である。図１ｂは、包装後の状態を示す模式図である。本考案の実施形態１において、包装用材１０は、箱２０とシート３０とを包装する。包装用材１０は、箱２０とシート３０とを重畳して覆う筐体１２を備える。箱２０は、商品などを収容する容器であり、本考案の実施形態１においては、６つの側面を有する六面体である。シート３０は、箱の１つの側面を覆う模様入りの矩形の和紙である。
【００１２】
筐体１２は、筒状部１２２と、筒状部１２２の両側縁に設けられる２つの装入開口部１２４とを有する。筒状部１２２は、箱２０の形に整合する六面体であり、その前側面には、矩形状の視認開口部１２６が５つ設けられている。以下、筒状部１２２における視認開口部１２６が設けられた側面を「視認面１２８」と略称することがある。２つの装入開口部１２４は、箱２０を差し込むためのものである。なお、本考案の実施形態１において、筐体１２は黒色の紙である。
【００１３】
箱２０を包装する際には、箱２０が筒状部１２２に覆われるように、箱２０を２つの装入開口部１２４の内の１つから挿し込む。その後、シート３０を装入開口部１２４から、視認面１２８と箱２０との間に差し込む。
【００１４】
筒状部１２２が有する視認開口部１２６は、シート３０が露出する位置に設けられているため、シート３０に付された模様を視認開口部１２６から視認することができる。その結果、箱２０に収容された商品の種類や宣伝の手法などに合わせて絵柄を選択して用いることができる包装用材を実現できる。
【００１５】
なお、本考案の実施形態１では、筒状部１２２は１つの視認面１２８を有していたが、本考案に係る包装用材はこれに限定されない。シート３０が一枚以上あった場合は、それに合わせて１つ以上の視認面１２８を有してもよい。複数の視認面１２８を有する場合、絵柄の組み合わせのバリエーションが豊富で、一層商品のイメージを向上することができる。
【００１６】
[実施形態２]
図２は、本考案の実施形態２に係る包装用材１０Ａを示す模式図である。図２に示すように、本考案の実施形態２に係る包装用材１０Ａは、筐体１２Ａと、シート３０とを備える。筐体１２Ａは、筒状部１２２Ａと、筒状部１２２Ａの側面に設けられている差し込み開口部１３２とを有する。本考案の実施形態２において、包装用材１０Ａは、筐体１２Ａの筒状部１２２Ａに差し込み開口部１３２が設けられている点を除いて、実施形態１に係る包装用材１０と同様な構成を有しているため、重複する説明について省略する。
【００１７】
差し込み開口部１３２は、シート３０を差し込むための開口部であり、シート３０に整合する形状を有する。差し込み開口部１３２は、箱２０の差し込み方向と平行になるように、筒状部１２２Ａにおける視認面１２８の近傍に設けられる。
【００１８】
本考案の実施形態２によれば、筒状部１２２Ａは、その視認面１２８の近傍に差し込み開口部１３２を有している。その結果、装入開口部１２４のみならず、差し込み開口部１３２からもシート３０を視認面１２８と箱２０との間に差し込むことができる。
【００１９】
なお、本考案の実施形態２では、シート３０は１枚であり、筒状部１２２Ａは、１つの視認面１２８と、その視認面１２８の近傍に設けられた１つの差し込み開口部１３２とを有していたが、本考案に係る包装用材はこれらに限定されない。シート３０が１枚以上であり、筒状部１２２Ａが有する視認面１２８及び差し込み開口部１３２が１つ以上であってもよい。また、差し込み開口部１３２を筒状部１２２Ａの側面上に設けてもよい。なお、筒状部１２２Ａにおける２つの側面の境界に差し込み開口部１３２を設けると、２つの側面の内のいずれへもシート３０が差し込みやすいため、筒状部１２２Ａが２つ以上の視認面１２８を有する場合に好適である。
【００２０】
[実施形態３]
図３は、本考案の実施形態３に係る包装用材１０Ｂを示す模式図である。本考案の実施形態３に係る包装用材１０Ｂは、筐体１２Ｂと、シート３０Ｂとを備える。筐体１２Ｂは筒状部１２２Ｂを有する。筐体１２Ｂは、その筒状部１２２Ｂの前側面、後側面及び上面の３つの面が視認面１２８である点を除いて、前述した実施形態１に記載の筐体１２と同様な構成を有している。シート３０Ｂは、複数の覆体３２が連設されてなる構成であり、シート３０Ｂを折り曲げて箱２０のすべての側面を覆体３２で覆うことができる。
【００２１】
本考案の実施形態３によれば、箱２０のすべての側面が１枚のシート３０Ｂによって包まれ、筒状部１２２Ｂは、３つの視認面１２８を有しているため、シート３０Ｂに付された模様を各視認面１２８から視認することができる。その結果、一層商品のイメージを向上することができる。
【００２２】
なお、本考案の実施形態３では、シート３０Ｂは、箱２０のすべての側面を包んでいたが、本考案の包装用材はこれに限定されない。視認面１２８からシート３０Ｂが視認できる限り、シート３０Ｂは、箱２０の２つ以上の面を覆うものであればよい。
【００２３】
以上、図１〜３を参照して本考案の実施形態１〜実施形態３を説明した。
【００２４】
本考案の実施形態では、筒状部の視認面に、５つの矩形状である視認開口部が箱の差し込み方向に沿って１行に並んでいたが、視認開口部からシートが視認できる限り、開口部の形状、数量及び配置は任意である。図４は、筐体の視認面１２８を示す正面図である。図４aは、ある筐体（筐体１２Ｃ）の視認面１２８を示す正面図であり、図４bは、別の筐体（筐体１２Ｄ）の視認面１２８を示す正面図である。筐体１２Ｃは、９つの三角形の視認開口部１２６Ｃを有し、それらは筐体１２Ｃの縦方向に３列、筐体１２Ｃの横方向に３行並ぶように配置されている。筐体１２Ｄは、２つの台形の視認開口部１２６Ｄaと、２つの三角形の視認開口部１２６Ｄbとを有し、２つの台形の視認開口部１２６Ｄaを２つの三角形の視認開口部１２６Ｄbが挟むように並んでいる。
【００２５】
本考案の実施形態では、筐体は六面体であり、筐体の色は黒であり、筐体の素材は紙であったが、本考案の包装用材はこれらに限定されない。例えば、筐体の形状は、箱とシートとを重畳して覆うことができる限り、円柱体又は任意の多面体であり得る。筐体の色も任意であり、白、赤、鏡調の色、木目調の色、更にはシルバー等の金属調の色等、様々な色であり得る。また、筐体の素材はアクリル、布、金属であり得る。筐体の素材が箱の素材より強度が高い場合は、外部からの衝撃による箱の変形、損壊を防ぎ得る。
【００２６】
本考案の実施形態では、シートの形状は矩形であり、シートの素材は和紙であり、シートの模様は和風模様であったが、本考案はこれらに限定されない。シートの形状は、筐体が有する視認開口部から視認し得る限りは任意であり得る。シートの形状は、多角形状や円形状であり得る。シートの素材は、プラスチック、布、金属であり得る。シートの模様は、任意の模様であり得る。例えば、幾何学的な模様、又はエスニック風模様であり得る。
【００２７】
本考案の実施形態では、視認開口部は筐体に物理的に開いた穴であるが、シートに付された模様を視認開口部から視認できるように視認開口部が機能し得る限りは、視認開口部は物理的に開いた穴に限定されない。視認開口部は物理的に閉じた穴であり得る。例えば、筐体が透明アクリル樹脂で構成されている場合には、光を通さないインクを筐体の一部の領域に印刷することで、インクが印刷されていない領域（シートに付された模様を視認できる領域）が視認開口部として機能し得る。また、光の透過を遮る遮光体と、透明アクリル樹脂とを重ねるようにして筐体を構成することでも視認開口部を実現し得る。視認開口部が物理的に閉じた穴である場合には、包装用材の外部からのシートへの接触を防ぐことができ、シートが汚れることを回避し得る。
【産業上の利用可能性】
【００２８】
本考案の包装用材は、商品の種類や宣伝の手法などに合わせて視認する絵柄を選択して用いることができる包装材料として利用できる。
【符号の説明】
【００２９】
１０、１０Ａ、１０Ｂ     包装用材
１２、１２Ａ、１２Ｂ、１２Ｃ、１２Ｄ      筐体
１２２、１２２Ａ、１２２Ｂ     筒状部
１２４      装入開口部
１２６、１２６Ｃ、１２６Ｄa、１２６Ｄb    視認開口部
１２８      視認面
１３２      差し込み開口部
２０        箱
３０        シート
３２        覆体
【図１】
0003174621.tif 000003
【図２】
0003174621.tif 000004
【図３】
0003174621.tif 000005
【図４】
0003174621.tif 000006